(57)【要約】【課題】  脱臭フィルターにゴミが付着しにくく、フィルターの掃除がしやすい機能フィルターを装着した扇風機を提供する。【解決手段】  スタンドベース１に支柱２を立て、その内部にスライド可能なスライドパイプ３を備えている。更に、ネックピース４を介して、フアンモータを内蔵したモータカバー５があり、そのモータカバー５にフロントガード７とリアガードからなるガードが取り付けられ、該ガード内にモ−タに取り付けられたファン６を有する。フロントガード７のガードオーナメント８の中央部に光脱臭フィルター１０を取り付け、光脱臭フィルター１０はファン６の中央の前側のみに位置して配置される。【選択図】      図１
2006207522.tif 000002
【特許請求の範囲】
【請求項１】
操作板等を備えたスタンドベースに支柱を立て、ネックピースを介してファンモータを内蔵したモータカバーと、該モータカバーにフロントガードとリアガードからなるガードが取り付けられ、該ガード内にモ−タに取り付けられた羽根を有する扇風機において、ガードオーナメント中央部に機能フィルターを取り付け、機能フイルターがファン中央の前側のみに位置して配置されることを特徴とする扇風機。
【請求項２】
操作板等を備えたスタンドベースに支柱を立て、ネックピースを介してファンモータを内蔵したモータカバーと、該モータカバーにフロントガードとリアガードからなるガードが取り付けられ、該ガード内にモ−タに取り付けられた羽根を有する扇風機において、ガードオーナメント中央部に光脱臭フィルターを取り付け、光脱臭フィルターがファン中央の前側のみに位置して配置されることを特徴とする扇風機。
【請求項３】
前記光脱臭フィルターは、ガードオーナメントと透明ケースにより爪式の取り付け手段で着脱自在に装着されることを特徴とする請求項２に記載の扇風機。
【請求項４】
操作板等を備えたスタンドベースに支柱を立て、ネックピースを介してファンモータを内蔵したモータカバーと、該モータカバーにフロントガードとリアガードからなるガードが取り付けられ、該ガード内にモ−タに取り付けられた羽根を有する扇風機において、ガードオーナメント中央部に蚊取りフイルターを取り付け、蚊取りフイルターがファン中央の前側のみに位置して配置されることを特徴とする扇風機。
【請求項５】
前記蚊取りフイルターは、ガードオーナメントと透明ケースにより爪式の取り付け手段で着脱自在に装着されることを特徴とする請求項４に記載の扇風機。
【請求項６】
前記蚊取りフイルターはピレスロイド系の薬品を含ませた素材で形成されることを特徴とする請求項４に記載の扇風機。
【請求項７】
前記透明ケースに代えて、メッシュガードの金属ケース、多孔状の透明ケース、網状物を内包する樹脂ケースのいづれかを選択装着可能にしたことを特徴とする請求項３または請求項５に記載の扇風機。
【発明の詳細な説明】
【技術分野】
【０００１】
本発明は、光脱臭フィルターあるいは蚊取りフイルター、芳香剤フイルター等の機能フィルターを装着した扇風機に関するものである。
【背景技術】
【０００２】
従来、扇風機の風を脱臭する手段や、風に芳香を加える手段として、種々のものが提案されている。脱臭機能付き扇風機しては、羽根の回転により羽根に流入する空気の通過する位置、例えば、羽根ガードのリアガードに脱臭フィルター等の脱臭部を装着するものが知られている（例えば、特許文献１を参照）。また、蚊取器を扇風機と独立に設置して、薬効成分を扇風機の風でかき混ぜて拡散し、蚊を追い払いながら、涼がとれる扇風機も知られている（例えば、特許文献２を参照）。
【特許文献１】特開平９−１４４６８６号公報
【特許文献２】実開平７−４２４５０号公報
【発明の開示】
【発明が解決しようとする課題】
【０００３】
従来の扇風機のように、リアガードに脱臭フィルター等が取り付けられているものは、扇風機は後方から風を吸い込むため、脱臭フィルターにゴミが付着しやすくて、空気の吸引力が低下すると共に、ゴミを取り除くのが面倒であった。また、蚊取器を扇風機と独立に設置するものは、蚊取器は単体で使用されており、その置き場所を必要とすると共に、扇風機の動作とは関連性がなかった。そこで本発明は、脱臭フィルターにゴミが付着しにくく、フィルターの掃除がしやすい光脱臭フィルターを装着した扇風機、また、蚊取器の設置場所をとらずに扇風機の動作と密接に関連性がある蚊取りフイルターを装着した扇風機等のフィルターを装着した扇風機を提供することを目的とする。
【課題を解決するための手段】
【０００４】
上記課題を解決するために、本発明の請求項１に係る扇風機は、操作板等を備えたスタンドベースに支柱を立て、ネックピースを介してファンモータを内蔵したモータカバーと、該モータカバーにフロントガードとリアガードからなるガードが取り付けられ、該ガード内にモ−タに取り付けられた羽根を有する扇風機において、ガードオーナメント中央部に機能フィルターを取り付け、機能フイルターがファン中央の前側のみに位置して配置された構成とした。
【０００５】
こうして、ファンの前側に機能フィルターを取り付けているため、ファンの中心部からは余り風がこないため、機能フィルターにゴミが付着しにくい。また、フィルターが汚れてもフロントガードを取り外すだけで、掃除機でゴミを吸い取ることができる。
【０００６】
本発明の請求項２に係る扇風機は、操作板等を備えたスタンドベースに支柱を立て、ネックピースを介してファンモータを内蔵したモータカバーと、該モータカバーにフロントガードとリアガードからなるガードが取り付けられ、該ガード内にモ−タに取り付けられた羽根を有する扇風機において、ガードオーナメント中央部に光脱臭フィルターを取り付け、光脱臭フィルターがファン中央の前側のみに位置して配置された構成とした。
【０００７】
こうして、ファンの前側に光脱臭フィルターを取り付けているため、ファンの中心部からは余り風がこないため、光脱臭フィルターにゴミが付着しにくい。また、フィルターが汚れてもフロントガードを取り外すだけで、掃除機でゴミを吸い取ることができる。
【０００８】
本発明の請求項３に係る扇風機は、操作板等を備えたスタンドベースに支柱を立て、ネックピースを介してファンモータを内蔵したモータカバーと、該モータカバーにフロントガードとリアガードからなるガードが取り付けられ、該ガード内にモ−タに取り付けられた羽根を有する扇風機において、ガードオーナメント中央部に光脱臭フィルターをガードオーナメントと透明ケースにより爪式の取り付け手段で着脱自在に装着して取り付け、光脱臭フィルターがファン中央の前側のみに位置して配置された構成とした。
【０００９】
こうして、ガードオーナメントと透明ケースの２部品から構成され、この２部品の中に光脱臭フィルターを入れ、これをフロントガードにはめ込んで取り付けたものであり、ファンの前側に光脱臭フィルターを取り付けているため、ファンの中心部からは余り風がこないため、光脱臭フィルターにゴミが付着しにくい。また、フィルターが汚れてもフロントガードを取り外すだけで、光脱臭フィルターをガードオーナメントと透明ケースの２部品の中からはずすことなく、掃除機でゴミを吸い取ることができる。
【００１０】
本発明の請求項４に係る扇風機は、操作板等を備えたスタンドベースに支柱を立て、ネックピースを介してファンモータを内蔵したモータカバーと、該モータカバーにフロントガードとリアガードからなるガードが取り付けられ、該ガード内にモ−タに取り付けられた羽根を有する扇風機において、ガードオーナメント中央部に蚊取りフイルターを取り付け、蚊取りフイルターがファン中央の前側のみに位置して配置された構成とした。
【００１１】
こうして、ガードオーナメントの中に蚊取りフイルターを入れ、これをフロントガードにはめ込んで取付けたものであり、ファンの前側中央部に蚊取りフイルターを取付けているため、ファンの中心部から発生する微風により、蚊取りフィルターに含まれている薬品が周囲に漂よい、蚊が近づいてくるのを防止できる。
【００１２】
本発明の請求項５に係る扇風機は、操作板等を備えたスタンドベースに支柱を立て、ネックピースを介してファンモータを内蔵したモータカバーと、該モータカバーにフロントガードとリアガードからなるガードが取り付けられ、該ガード内にモ−タに取り付けられた羽根を有する扇風機において、ガードオーナメント中央部に蚊取りフイルターをガードオーナメントと透明ケースにより爪式の取り付け手段で着脱自在に装着して取り付け、蚊取りフイルターがファン中央の前側のみに位置して配置された構成とした。
【００１３】
本発明の請求項６に係る扇風機は、操作板等を備えたスタンドベースに支柱を立て、ネックピースを介してファンモータを内蔵したモータカバーと、該モータカバーにフロントガードとリアガードからなるガードが取り付けられ、該ガード内にモ−タに取り付けられた羽根を有する扇風機において、ガードオーナメント中央部にピレスロイド系の薬品を含ませた素材で形成される蚊取りフイルターを取り付け、蚊取りフイルターがファン中央の前側のみに位置して配置された構成とした。
【００１４】
こうして、ガードオーナメントと透明ケースの２部品から構成され、この２部品の中に蚊取りフイルターを入れ、これをフロントガードにはめ込んで取付けたものであり、ファンの前側中央部に蚊取りフイルターを取付けているため、ファンの中心部から発生する微風により、蚊取りフィルターに含まれている薬品が周囲に漂よい、蚊が近づいてくるのを防止できる。
【００１５】
本発明の請求項７に係る扇風機は、操作板等を備えたスタンドベースに支柱を立て、ネックピースを介してファンモータを内蔵したモータカバーと、該モータカバーにフロントガードとリアガードからなるガードが取り付けられ、該ガード内にモ−タに取り付けられた羽根を有する扇風機において、ガードオーナメント中央部に光脱臭フィルターまたは蚊取りフイルターをガードオーナメントと透明ケースにより爪式の取り付け手段で着脱自在に装着して取り付け、光脱臭フィルターまたは蚊取りフイルターがファン中央の前側のみに位置して配置し、前記透明ケースに代えて、メッシュガードの金属ケース、多孔状の透明ケース、網状物を内包する樹脂ケースのいづれかを選択装着可能に構成した。
【００１６】
こうして、透明ケースの代替物としてメッシュガードの金属ケース、多孔状の透明ケース、網状物（ポリエチレン）を内包する樹脂ケースを用意して選択適用することにより、メッシュガードの金属ケース及び多孔状の透明ケースは光脱臭フィルターまたは蚊取りフイルターを通過した風がフロントガードの前方にも放出される。また、網状物を内包する樹脂ケースは透明ケースの模様に変化を持たせることができる。
【発明の効果】
【００１７】
以上のように、本発明の扇風機は、ガードオーナメントと透明ケースの２部品から構成され、この２部品の中に光脱臭フィルターを入れ、これをフロントガードにはめ込んで取り付けたものであり、ファンの前側に光脱臭フィルターを取り付けているため、ファンの中心部からは余り風がこないため、光脱臭フィルターにゴミが付着しにくい。また、フィルターが汚れてもフロントガードを取り外すだけで、光脱臭フィルターをガードオーナメントと透明ケースの２部品の中からはずすことなく、掃除機でゴミを吸い取ることができる。
【００１８】
また、ガードオーナメントと透明ケースの２部品から構成され、この２部品の中に蚊取りフイルターを入れ、これをフロントガードにはめ込んで取付けたものであり、ファンの前側中央部に蚊取りフイルターを取付けているため、ファンの中心部から発生する微風により、蚊取りフィルターに含まれている薬品が周囲に漂よい、蚊が近づいてくるのを防止できる。
【発明を実施するための最良の形態】
【００１９】
本発明の扇風機の第１の実施形態を光脱臭フィルターを装着した例を図１、図２の図面に基づき説明する。図１は扇風機の立面図、図２は扇風機のファン部の側面断面図である。図において、スタンドベース１に支柱２を立て、その内部にスライド可能なスライドパイプ３を備えている。更に、ネックピース４を介して、フアンモータを内蔵したモータカバー５があり、そのモータカバー５にフロントガード７とリアガードからなるガードが取り付けられ、該ガード内にモ−タに取り付けられたファン６を有する。
【００２０】
フロントガード７のガードオーナメント８の中央部に光脱臭フィルター１０を取り付け、光脱臭フィルター１０はファン６の中央の前側のみに位置して配置される。スタンドベース１には操作板等を備え、リモコンを装着するタイプのものは、図５に示すように、リモコン収納部１６にリモコン１７が収納設置される。
【００２１】
光脱臭フィルター１０の装着状態の詳細を、図２の扇風機のファン部の側面断面図で説明する。ネックピース４を介して、フアンモータを内蔵したモータカバー５にフロントガード７とリアガードからなるガードが取り付けられ、該ガード内にモ−タに取り付けられたファン６を有する。
【００２２】
ガードオーナメントと透明ケース及び光脱臭フィルターを個々に分解した状態はガードオーナメント８、透明ケース９、光脱臭フィルター１０として示している。波形メッシュ状の光脱臭フィルター１０はガードオーナメント８の中央部の空間に装着され、透明ケース９で前面を覆い、取付け爪９１により透明ケース９をガードオーナメント８に取り付けて、光脱臭フィルター１０を内包した透明ケース９とガードオーナメント８の一体物を形成する。
【００２３】
次に、この一体化されたガードオーナメント８は取付け爪８１によりフロントガード７に取り付けられ、光脱臭フィルター１０はファン６の中央の前側のみに位置して配置される。ガードオーナメント８の通風穴８２は風を通すと共に、掃除をするための穴である。
【００２４】
このように、本発明の扇風機はガードオーナメント８と透明ケース９の２部品から構成され、この２部品の中に光脱臭フィルター１０を入れ、これをフロントガード７にはめ込んで取り付けたものであり、ファン６の前側に光脱臭フィルター１０を取り付けているため、ファン６の中心部から発生する微風により光脱臭された風が漂よう。そして、ファン６の中心部からはそれほど風がこないため、光脱臭フィルター１０にゴミが付着しにくい。
【００２５】
また、光脱臭フィルター１０が汚れてもフロントガード７を取り外すだけで、光脱臭フィルター１０をガードオーナメント８と透明ケース９の２部品の中から外すことなく、通風穴８２を介して掃除機で光脱臭フィルター１０のゴミを吸い取ることができる。
【００２６】
図１における符号１１、１２、１３は透明ケース１０の代替物を示すものであり、１１はメッシュガードの金属ケース、１２は多孔状の透明ケース、１３は網状物（ポリエチレン）を内包する樹脂ケースである。メッシュガードの金属ケース１１及び多孔状の透明ケース１２は光脱臭フィルター１０を通過して脱臭された風がフロントガード７の前方にも放出される。網状物を内包する樹脂ケース１３は透明ケースの模様に変化を持たせることができる。
【００２７】
次に、本発明の扇風機の第２の実施形態を蚊取りフィルターを装着した例を図３、図４の図面に基づき説明する。図３は扇風機の立面図、図４は扇風機のファン部の側面断面図である。図において、図１、図２のものと実質的に同一物には同一の符号を付している。
【００２８】
スタンドベース１に支柱２を立て、その内部にスライド可能なスライドパイプ３を備えている。更に、ネックピース４を介して、フアンモータを内蔵したモータカバー５があり、そのモータカバー５にフロントガード７とリアガードからなるガードが取り付けられ、該ガード内にモ−タに取り付けられたファン６を有する。
【００２９】
フロントガード７のガードオーナメント８の中央部に蚊取りフィルター１４を取り付け、蚊取りフィルター１４はファン６の中央の前側のみに位置して配置される。スタンドベース１には操作板等を備えている。
【００３０】
蚊取りフィルター１４の装着状態の詳細を、図４の扇風機のファン部の側面断面図で説明する。ネックピース４を介して、フアンモータを内蔵したモータカバー５にフロントガード７とリアガードからなるガードが取り付けられ、該ガード内にモ−タに取り付けられたファン６を有する。
【００３１】
ガードオーナメントと透明ケース及び蚊取りフィルターを個々に分解した状態はガードオーナメント８、透明ケース９、蚊取りフィルター１４として示している。蚊取りフイルター１４はピレスロイド系の薬品を含ませた素材１５で形成され、ガードオーナメント８の中央部の空間に装着され、透明ケース９で前面を覆い、取付け爪９１により透明ケース９をガードオーナメント８に取り付けて、蚊取りフイルター１４を内包した透明ケース９とガードオーナメント８の一体物を形成する。透明ケース９には薬品を周囲に漂わせるためのスリット９２が開孔されている。
【００３２】
次に、この一体化されたガードオーナメント８は取付け爪８１によりフロントガード７に取り付けられ、蚊取りフイルター１４はファン６の中央の前側のみに位置して配置される。ガードオーナメント８の通風穴８２は薬品を周囲に漂わせるための穴である。
【００３３】
このように、本発明の扇風機はガードオーナメント８と透明ケース９の２部品から構成され、この２部品の中に蚊取りフイルター１４を入れ、これをフロントガード７にはめ込んで取り付けたものであり、ファン６の前側に蚊取りフイルター１４を取り付けているため、ファン６の中心部から発生する微風により、蚊取りフィルターに含まれている薬品が周囲に漂よい、蚊が近づいてくるのを防止できる。そして、ファン６の中心部からはそれほど風がこないため、蚊取りフイルター１４にゴミが付着しにくい。
【００３４】
また、蚊取りフイルター１４が汚れて薬効が低下した場合は、蚊取りフイルターは消耗品であるため、ガードオーナメント８と透明ケース９から簡単に取り外すことができる。蚊取りフイルターは蚊取器の設置場所をとらずに扇風機の動作と密接に関連性があるものとすることができる。
【００３５】
図３のものにおいても透明ケース９の代替物として、図１で示した、メッシュガードの金属ケース１１、多孔状の透明ケース１２、網状物（ポリエチレン）を内包する樹脂ケース１３を使用できることは言うまでもない。
【００３６】
以上の本発明の実施形態では光脱臭フィルターあるいは蚊取りフイルターを装着した扇風機について説明したが、他に扇風機の動作と密接に関連性を持たせて、風の改善を図るために有用な、例えば芳香剤フイルター等の機能フィルターを装着する扇風機にも適用できる。
【００３７】
図５（Ａ）の底面図、図５（Ｂ）の正面図に示すように、スタンドベース１にリモコンを装着するタイプのものは、リモコン収納部１６にリモコン１７が収納設置される。従来からよく利用されるリモコンは、図６（Ａ）、（Ｂ）、（Ｃ）に、それぞれ表面図、側面図、裏面図と示すものがあった。
【００３８】
これらの従来のリモコンは、収納時には扇風機の本体に収納するか、または専用ケースに収納するか、または、リモコン単体を直か置きでの保管であったため、薄いためどこに置いたかわからなくなることが多かった。
【００３９】
そして、使用時においても扇風機の本体に収納するか、または、図７に示すように、専用のリモコンホルダー１８に収納して手元に置いていた。立てて置いた場合に誤って脚で踏みつけると、破損させることがあった。
【００４０】
そこで、図８（Ａ）、（Ｂ）、（Ｃ）に、それぞれ表面図、側面図、裏面図、を示すように、リモコン１７の裏側に、脚部１９とヒンジ部２０を構成し、リモコンを手元で使用するために立てるときは、図８（Ｄ）に示すように、脚部１９を広げ立てて使用する。扇風機のスタンド本体に収納する場合は脚部１９を折りたたみ収納する。また、誤ってＡ側から力が加わっても脚部１９が折り曲がり収納され破損しない構造となっている。
【００４１】
このように、リモコンの操作裏面の下側に脚部の支点となるヒンジ部があり、脚部を使用するときは引き出し、使用しないときは収納しておく構造とすることにより、リモコン単体に脚部をつけ使用しないときは専用のケースを使用しなくても立てて置くことができ、立てていた場合に誤って脚で踏みつけても脚部が収納側へと戻り破損しないですむ。そして、専用のリモコンホルダーを扇風機とは別に単体で用意する必要がないのでまとまりが良い。
【図面の簡単な説明】
【００４２】
【図１】本発明の実施形態の扇風機の立面図。
【図２】本発明の扇風機のファン部の側面断面図。
【図３】本発明の他の実施形態の扇風機の立面図。
【図４】本発明の扇風機のファン部の側面断面図。
【図５】リモコン装着タイプのスタンドベース図。
【図６】従来のリモコン概略図。
【図７】従来のリモコンホルダー図。
【図８】新しいリモコン概略図。
【符号の説明】
【００４３】
１          スタンドベース
２          支柱
３          スライドパイプ
４          ネックピース
５          モータカバー
６          ファン
７          フロントガード
８          ガードオーナメント
９          透明ケース
１０        光脱臭フィルター
１１        メッシュガードの金属ケース
１２        多孔状の透明ケース
１３        網状物を内包する樹脂ケース
１４        蚊取りフィルター
１５        薬品素材
１６        リモコン収納部
１７        リモコン
１８        リモコンホルダー
１９        脚部
２０        ヒンジ部
【図１】
2006207522.tif 000003
【図２】
2006207522.tif 000004
【図３】
2006207522.tif 000005
【図４】
2006207522.tif 000006
【図５】
2006207522.tif 000007
【図６】
2006207522.tif 000008
【図７】
2006207522.tif 000009
【図８】
2006207522.tif 000010